(57)【要約】      （修正有）【課題】バネの付勢によって便座が自動的に立ち上がる洋便器において、便座を利用して用便を行う場合には便座が一時的に便器開口部の位置に保持されるようにする便座上方回帰阻止装置を提供する。【解決手段】便座４を使用しないときには、円筒管１２の上部に回動自在に載置された便座移動阻止部材１３は、便座跳ね上げバネより弱い弾性力を有する回動バネの付勢によって、便座４の位置を回避するように便座４の側方へ常時移動している。また、便座４を使用して用便する際には、指先によって便座移動阻止部材１３を便座４の上面に回動すれば、便器開口周縁部２ｂ上に載置された便座４の載置状態を一時的に保持することができる。そして、便座４に着座した後は、便座移動阻止部材１３は回動バネの付勢により自動的に便座４の側方へ移動する。【選択図】図２
0003164111.tif 000002
【実用新案登録請求の範囲】
【請求項１】
洋便器の不使用時には、該洋便器の便座が便座跳ね上げバネの付勢によって自動的に上方へ回動するように構成されてなる洋便器において、
前記便座跳ね上げバネより弱い弾性力を有する回動バネの付勢によって、前記便座位置を回避するように該便座の側方へ常時移動するように構成された便座移動阻止部材が、前記便座を使用して用便する際には、便器本体上に載置された該便座の載置状態を一時的に保持するように、該便座の上面に回動して該便座の上方回帰を阻止するように構成されたことを特徴とする洋便器における便座上方回帰阻止装置。
【請求項２】
上記回動バネはコイルバネであることを特徴とする請求項１記載の洋便器における便座上方回帰阻止装置。
【考案の詳細な説明】
【技術分野】
【０００１】
本考案は洋便器における便座上方回帰阻止装置に関するものであり、特に、便座を利用して用便した後は、該便座が既に立ち上がっている蓋体に重なるように上方へ回動するように構成された洋便器における便座上方回帰阻止装置に関するものである。
【背景技術】
【０００２】
従来、この種の洋便器として、例えば、上面開口の便器本体の後端部に該開口部を蓋装する蓋体が枢着され、且つ、該蓋体の内側面（前面）に重ねることができると共に前記便器本体の開口縁部に載置される便座が該蓋体の枢着部に枢着されて成る洋便器が知られている（特許文献１参照）。
【０００３】
この種の洋便器を用いて男性が小便用として使用する場合は、手動によって前記便座を上方の蓋体側へ回動して用便に供するように構成されている。この洋便器によれば、前記便座の裏面側に小便を受けるための補助板及び案内板が付設されているので、小便が不用意に飛び散って便器周辺や床面を汚すおそれはなくなる。従って、男性が楽な姿勢で小便をすることができると共に、便器周辺を極めて衛生的に保つことができる。
【０００４】
ところが、上記特許文献１に開示された洋便器は、蓋体と便座とがそれぞれ個別に手動作によって回動するように構成されている。そのため、蓋体が便器開口部を閉塞している状態において、女性が用便し、又は男性が大便をする場合は、前記蓋体のみを開放し、該便座を利用して用便を行う。このとき、該用便後は、該便座は便器開口周縁部に載置された状態に維持されている。そこで、男性が小便をする場合は、往々にして前記便座を便器開口部周縁に載置した状態のまま小便することになり、該小便が該便座にかかったりして極めて不衛生な状態となる。
【０００５】
そこで、洋便器において、便座を利用して用便し、該用便の終了後は手動によらずバネの付勢によって該便座が回動し、既に開放されている蓋体に重なるように該便座が自動的に立ち上がるように構成された洋便器が開示されている（例えば、特許文献２参照）。このような構成の洋便器によれば、男性が小便をするときには便座は常に蓋体側と共に上方へ回動して立ち上がっていて、便器開口部は男性が小便をするのに適した状態になっているので、便座周辺を汚すおそれはなくなる。
【先行技術文献】
【特許文献】
【０００６】
【特許文献１】特開２００１−１４０３２８号公報
【特許文献２】特開２０１０−１４２２８３号公報
【考案の概要】
【考案が解決しようとする課題】
【０００７】
しかしながら、上記特許文献２に開示された従来の洋便器は、便座を利用した用便の終了後は、バネの付勢によって該便座が回動して自動的に立ち上がるように構成されているので、女性が用便し、又は男性が大便をする場合は、手動によって便座を便器開口周縁部の位置まで戻す必要がある。このとき、手動で便座を便器開口周縁部の位置に戻して該便座から手を放して用便の準備を開始したときに、該便座がバネの付勢によって再び立ち上る。このき、に女性又は男性が該便座に腰掛けようとすると、誤って便器開口周縁部に座ってしまうおそれがある。
【０００８】
そこで、バネの付勢によって便座が自動的に立ち上がる洋便器において、該便座を利用して用便を行う場合には該便座が一時的に便器開口部の位置に保持されるようにするために解決すべき技術的課題が生じてくるのであり、本考案は該課題を解決することを目的とする。
【課題を解決するための手段】
【０００９】
本考案は上記目的を達成するために提案されたものであり、請求項１記載の考案は、洋便器の不使用時には、該洋便器の便座が便座跳ね上げバネの付勢によって自動的に上方へ回動するように構成されてなる洋便器において、前記便座跳ね上げバネより弱い弾性力を有するバネ部材の付勢によって、前記便座位置を回避して便器本体の側方へ常時移動するように構成された便座移動阻止部材を有し、前記便座を使用して用便する際には、該便座を手動にて便器本体上に載置した後、前記便座移動阻止部材を手動にて該便座上面に回動して手を放せば、前記便座跳ね上げバネの付勢により前記回動バネの復動が阻止されて、該便座の上方回帰を阻止するように構成されたことを特徴とする洋便器における便座上方回帰阻止装置を提供する。
【００１０】
この構成によれば、洋便器の不使用時には、便座跳ね上げバネの付勢によって便座が自動的に上方へ跳ね上がる洋便器において、該便座跳ね上げバネより弱い弾性力を有する回動バネの付勢によって、便座移動阻止部材が便座の位置を回避するように該便座器本体の側方へ常時移動している。そして、女性または男性が便座を使用して用便する際には、先ず便座を手動等の手段によって便器本体上に載置し、その後先ず手動によって便座の上面に便座移動阻止部材を回動させることにより、該便座の上方回帰を阻止して便器本体上に載置された便座の載置状態を一時的に保持することができる。これによって、女性または男性は、慌てることなく便座の上面に着座することができる。そして、便座に着座した後は、便座移動阻止部材は回動バネの付勢によって自動的に便器の側方へ移動する。したがって、女性または男性が洋便器から離れたときには、便座は便座跳ね上げバネの付勢によって自動的に上方へ立ち上がった状態となるので、次に男性は自然の姿勢で小便をすることができる。
【００１１】
請求項２記載の考案は、上記バネ部材はコイルバネであることを特徴とする請求項１記載の洋便器における便座上方回帰阻止装置を提供する。
【００１２】
この構成によれば、便座移動阻止部材を回動させるバネ部材として汎用的なコイルバネを用いているので、簡単な構成で便座上方回帰阻止装置を構成することができる。
【考案の効果】
【００１３】
請求項１記載の考案は、洋便器の使用時には、手動にて上方へ立上っている便座を便器本体上に回動させて載置して後、手動によって便座移動阻止部材を便座の上面に回動させることにより、一時的に便座の跳ね上がりを阻止することができるので、女性または男性は慌てることなく便座の上面に着座して用便を行うことができる。しかも便座に着座した後は、回動バネの付勢によって便座移動阻止部材は自動的に便器本体の側方へ移動するので、女性または男性が洋便器から離れたときには、便座が自動的に上方へ立ち上がった状態となるので、次に男性は自然の姿勢で小便をすることができる。
【００１４】
請求項２記載の考案は、便座移動阻止部材を回動させる回動バネとして汎用的なコイルバネを用いているので、請求項１記載の考案の効果に加えて、簡単な構成で便座上方回帰阻止装置を構成することができる。
【図面の簡単な説明】
【００１５】
【図１】本発明に係る男女用の洋便器を示し、その斜視図。
【図２】図１に示す洋便器であって蓋体及び便座を開放した状態を示す平面図。
【図３】図２において、便座を便器本体の開口周縁部に載置した状態を示す平面図。
【図４】図１に示す洋便器の近傍に便座上方回帰阻止装置を設置した状態を示す一部切欠斜視図。
【図５】図４に示す便座上方回帰阻止装置の使用状態を示す一部切欠斜視図。
【図６】便座上方回帰阻止装置に用いられる回動バネの他の実施例を示す一部切欠側面図。
【考案を実施するための形態】
【００１６】
本考案は、バネの付勢によって便座が自動的に立ち上がる洋便器において、該便座を利用して用便を行う場合には該便座が一時的に便器開口部の位置に保持されるようにするという目的を達成するために、請求項１記載の考案は、洋便器の不使用時には、該洋便器の便座が便座跳ね上げバネの付勢によって自動的に上方へ回動するように構成されてなる洋便器において、前記便座跳ね上げバネより弱い弾性力を有するバネ部材の付勢によって、前記便座位置を回避して便器本体の側方へ常時移動するように構成された便座移動阻止部材を有し、前記便座を使用して用便する際には、該便座を手動にて便器本体上に載置した後、前記便座移動阻止部材を手動にて該便座上面に回動して手を放せば、前記便座跳ね上げバネの付勢により前記回動バネの復帰が阻止されて、該便座の上方回帰を阻止するように構成されたことを特徴とする洋便器における便座上方回帰阻止装置を提供することにより実現した。
【実施例】
【００１７】
以下、図１乃至図６を参照して本考案に係る洋便器の便座上方回帰阻止装置の好適な実施例について説明する。
【００１８】
図１は、本考案に係る洋便器１の斜視図である。また、図２は、図１に示す洋便器であって蓋体及び便座を開放した状態を示す平面図である。さらに、図３は、図２において便座を便器本体の開口周縁部に載置した状態を示す平面図である。
【００１９】
図１に示すように、洋便器１は、便器本体２、蓋体３、便座４、貯水タンク５等から構成され従来公知洋便器１の側方へ本考案の便座上方へ本考案の便座上方回帰阻止装置１１が設置されている状態を示す。
【００２０】
図２に示すように、洋便器１は、便器本体２の上端面後方両側部に軸受ボス６，６が突設されており、更に、該軸受ボス６，６間に所定のスペースＳ，Ｓを有して筒状の軸受部７が蓋体３の下端面中間部に設けられている。そして、前記軸受ボス６，６問に架設された軸８を該軸受部７に遊挿して前記蓋体３が該軸８を回転支点として上下動可能に形成されている。而して、前記蓋体３が便器本体２の開口部２ａを開放したとき、該蓋体３は、後方に設けられている貯水タンク５の前面に立上った状態（やや後方へ傾いた状態）で維持されるように構成されている。勿論、該蓋体３は、便器本体２の前記開口部２ａを閉塞して蓋装できるように構成されていることは当然である。
【００２１】
また、前記便座４は、図２及び図３に示すように、便器本体２に突設されている前記軸受ボス６，６及び蓋体３の下端部に設けた軸受部７との間、即ち、前記スペースＳ，Ｓに夫々便座４の後端部両側に設けられている軸支片９，９を嵌装し、更に、該軸支片９，９には夫々前記軸８の挿通孔が開穿されている。そして、前記軸受ボス部６，６間に架設されている軸８を遊挿し、該軸８を回転支点として、該便座４が上下回動自在に形成されている。また、該便座４は前記蓋体３の前面に当接して立上った状態で維持されることができ、更に、該蓋体３に当接した状態で便器本体２に設けた開口周縁部２ｂ上に載置することができ、且つ、該便座４は蓋体３とは別々に開閉することもできるように構成されている。
【００２２】
さらに、図３に示すように、前記便座４を開口周縁部２ｂに載置した状態で用便を済ませた後は、該便座４は自動的に前記開口周縁部２ｂから離脱して立上り、既に立上った状態に維持されている蓋体３の前面に当接するように、該便座４に設けられた前記両側の軸支片９，９の部位にて、前記便器本体２と便座４との間に夫々便座跳ね上げバネ１０，１０を装着して、該便座跳ね上げバネ１０，１０の付勢により、該便座４が前記軸８を回動支点として上方へ回動し、前記立上り状態を自然に維持できるように構成されている。
【００２３】
さらに、また、前記便座跳ね上げバネ１０，１０は便座４が自動的に前記軸８を回動支点として上方へ回動し、蓋体３の前面に当接できる程度の強度を有するものであり、且つ、蓋体３と共に後方の貯水タンク５にもたれる状態、即ち、該蓋体３が便座４と共に、垂直状態から後方の貯水タンク５にもたれるようにやや傾いた状態で維持されるように形成されるのである。
【００２４】
以上を要約すると、図２及び図３に示すように、洋便器１は、上面開口の便器本体２と、該便器本体２の後端部に枢着された開閉自在の蓋体３と、該蓋体３と同時又は個別に上下動自在に設けられ、且つ、該便器本体２の開口周縁部２ｂに載置可能に形成された便座４とから成る男女兼用洋便器として構成されている。そして、前記便座４は、前記蓋体３の内側面に当接され、且つ、該蓋体３の枢着部に前記便座跳ね上げバネ１０，１０を介して緩く枢着され、便座４の使用後は、該便座４は、自動的に該便座跳ね上げバネ１０，１０の付勢によって上方へ回動して蓋体３の内側面に当接されるように構成されている。
【００２５】
このような構成により、洋便器１を用いて便座４の上に着座した状態で用便後、女性または男性が便座４を便器開口周縁部２ｂに載置した状態で便室を立去ったときでも、該便座４は便座跳ね上げバネ１０，１０の付勢によって、便器開口周縁部２ｂに載置されている状態から自動的に該便座枢着部を回動支点として上方へ回動して、既に開放されている蓋体３の内側面に当接させることができる。これによって、便器開口周縁部２ｂは男性が小便をし易い状態になっているので、男性が小便をするときに便座４や洋便器１の床面などを汚すおそれはなくなる。
【００２６】
ところが、再び、女性または男性が便座４に着座して用便をする場合は、使用者の手で便座４を便器開口周縁部２ｂの側に戻してから用便を行うことになる。このとき、手で便座４を便器開口周縁部２ｂの位置に戻して該便座４から手を放して用便の準備を開始したときに、該便座４が、便座跳ね上げバネ１０，１０の付勢によって再び立ち上がる。そこで、このような状態のときに女性または男性が該便座４に着座しようとすると、誤って便器開口周縁部２ｂに着座してしまうおそれがある。
【００２７】
本考案では、便座跳ね上げバネ１０，１０の付勢によって便座４が自動的に立ち上がる洋便器１において、該便座４を利用して用便を行う場合には該便座４が一時的に便器開口周縁部２ｂの位置に保持されるようにした便座上方回帰阻止装置１１を設けている。以下、このような便座上方回帰阻止装置１１の構成及び動作について詳細に説明する。
【００２８】
図４は、図１に示す洋便器の側方に便座上方回帰阻止装置１１を設置した状態を示す一部切欠斜視図である。また、図５は、図４に示す便座上方回帰阻止装置の使用状態を示す部分斜視図である。
【００２９】
図４に示すように、洋便器１を使用しないときには、該洋便器１の便座４が便座跳ね上げバネ１０，１０の付勢によって自動的に上方回動して蓋体３に重なっており、洋便器１は便器開口周縁部２ｂが露出された状態になっている。従って、男性は自然の姿勢で便器開口部２ａに向かって小便をすることができる。
【００３０】
このような構成の洋便器１の後方側部には、図４に示すように、便座上方回帰阻止装置１１が設置されている。この便座上方回帰阻止装置１１は、支持体１２の上端部に回動自在に設けられた便座移動阻止部材１３並びに該便座移動阻止材１３に復元力を付与するバネ部材１４によって構成されている。そして、洋便器１の不使用時（すなわち、図４のように便座４が立ち上がっているとき）には、便座上方回帰阻止装置１１の便座移動阻止部材１３は、円筒管１２に収納されたバネ部材１４の付勢によって、便座４の位置を回避するように該便器本体２の側方へ常時静止している。而して、該バネ部材１４は前記便座跳ね上げバネ１０より弾性力が強いものが採択される。
【００３１】
そして、洋便器１の使用者が手動にて便座４を便器開口周縁部２ｂ側へ倒して用便を行うときは、図５に示すように、使用者の指先により、前記バネ部材１４の付勢に抗して、便座上方回帰阻止装置１１の上部に付設された便座移動阻止部材１３を矢印ａのように便器本体１０の側方から該便座４後部位置の上部へ回動させる。これによって、便座４のが便座移動阻止部材１３によって押さえられるため、便座４は一時的に便器開口周縁部２ｂの上部位置に載置された状態になる。従って、洋便器１の使用者は、慌てることなく用便の準備をしてから便座４の上面に着座することができる。
【００３２】
このようにして洋便器１の使用者が便座４の上面に着座すると、使用者の荷重によって便座４は上方へ跳ね上がることがなくなるので、便座移動阻止部材１３と便座４との間の接触摩擦力が無くなるため、該便座移動阻止部材１３は、バネ部材１４の付勢によって再び便器本体１０４の側方へ回動する。
【００３３】
これによって、図４に示すように、便座４の上面には便座移動阻止部材１３が無くなるので、該便座４は、再び便座跳ね上げバネ１０，１０の付勢によって自動的に上方に回動する。従って、洋便器１の便器開口周縁部２ｂは露出された状態となり、男性が自然の姿勢で便器開口部２ａに向かって小便をすることができる。
【００３４】
ここで、便座上方回帰阻止装置１１に用いられるバネ部材１４について説明すれば、図１乃至図５に示すバネ部材１４は前記支持体１２と前記便座移動阻止部材１３間の端部間に介装され、且つ、外面に露呈した状態で取付けられているものであるが、図６に示すように、便座上方回帰阻止装置１１は、便器本体２の側方の床面１５に垂直に立設した円筒管（支持体１２に相当）と、該円筒管の上端部に回動自在に設けられた便座移動阻止部材１３と、前記円筒管の内部に収納されたバネ部材１４とによって構成されている。
【００３５】
而して、図６に示すバネ部材１４は、コイルバネによって構成され、且つ、前記便座跳ね上げバネ１０の弾性力より弱いものが採択されるのであるが、該バネ部材１４の上端部は前記便座移動阻止部材１３の後端部と前記円筒体の中間部に介装された軸支持板１６間に介装され、又は、該コイルバネの上端部は前記便座移動阻止部１３の後端部に係止されると共に、その下端部は前記円筒体の中間部に介装され支持板１６又は該円筒体にて開穿した孔に係止している。そこで、該コイルバネは該便座移動阻止部材１３を手動にて便座４上に回動して載置すけば、該コイルバネはバネ付勢により復元力が生じる。然し、手を放したとき、該コイルバネの復元力より強い弾性力を有する前記便座跳ね上げバネ１０の弾性にて該便座移動阻止部材１３は復元できず、従って便座４は便器本体２上に載置した状態を維持する。そこで、該便座４に着座して用便するときには、前記便座４と便座移動阻止部１３との間に空隙が生じ、双方の摩擦抵抗力がなくなるので前記コイルバネの復元力によって該便座移動阻止部材１３は便器本体２の側方へ回動して復帰する。又、図１乃至図５に示すバネ部材１４も前記コイルバネと全く同一の作用を為すことは当然である。
【００３６】
斯くの如く、女性または男性が便座４に着座した後は、前述したように、使用者の荷重によって便座４が立ち上がることがなくなるので、該便座４と便座移動阻止部材１３との間の接触摩擦抵抗がなくなり、便座移動阻止部材１３は、バネ部材１４の付勢によって再び便器本体２の側方へ回動し、次に、男性が洋便器１を使用して小便をし易い状態に復帰させることができる。
【００３７】
尚、本考案は、本考案の精神を逸脱しない限り種々の改変を為すことができ、そして、本考案が該改変されたものに及ぶことは当然である。
【産業上の利用可能性】
【００３８】
本考案は、家庭のみならず、公共施設などに利用される汎用の洋便器として有効に利用することができる。
【符号の説明】
【００３９】
１    洋便器
２    便器本体
２ａ  便器開口部
２ｂ  便器開口周縁部
３    蓋体
４    便座
５    貯水タンク
６    軸受ボス
７    軸受部
８    軸
９    軸支片
１０  便座跳ね上げバネ
１１  便座上方回帰阻止装置
１２  支持体
１３  便座移動阻止部材
１４  バネ部材
１５  床面
【図１】
0003164111.tif 000003
【図２】
0003164111.tif 000004
【図３】
0003164111.tif 000005
【図４】
0003164111.tif 000006
【図５】
0003164111.tif 000007
【図６】
0003164111.tif 000008